(57)【要約】【課題】  Ｄ端子からの映像信号の録画を行うことができるようにする。【解決手段】  ビデオデコーダー４により、Ｄ端子からの映像信号がデコード処理され、ビデオエンコーダー１２により、デコード処理された映像信号が所定の映像信号のフォーマットに対応するようにエンコード処理されると、信号処理制御回路９により、エンコード処理された映像信号に対し所定のデータ圧縮が施され、記録信号としてＨＤＤ１０に出力されるとともに、これらのビデオデコーダー４、ビデオエンコーダー１２、信号処理制御回路９の動作がシステムコントローラー８によって制御されるようにする。【選択図】  図１
2006024991.tif 000002
【特許請求の範囲】
【請求項１】
Ｄ端子からの映像信号の録画／再生機能を内蔵したテレビジョン装置であって、
前記Ｄ端子からの映像信号をデコード処理するデコード手段と、
前記デコード処理された映像信号を所定の映像信号のフォーマットに対応するようにエンコード処理するエンコード手段と、
前記エンコード処理された映像信号に対し所定のデータ圧縮を施し、記録信号として記録媒体に出力する信号処理手段と、
前記デコード手段、エンコード手段、信号処理手段の動作を制御する制御手段とを備える
ことを特徴とするテレビジョン装置。
【請求項２】
前記Ｄ端子以外の映像信号の入力を切り換える第１入力切換回路と、
前記Ｄ端子からの映像信号の入力を切り換える第２入力切換回路と、
前記第１入力切換回路からの映像信号と前記第２入力切換回路から入力され前記エンコード手段によってエンコード処理された映像信号との入力を切り換える第３入力切換回路とを備え、
録画指示があると、前記制御手段によりその録画指示に応じて前記第１入力切換回路又は前記第２入力切換回路による入力切換が制御され、さらに前記第３入力切換回路による入力切換が制御される
ことを特徴とする請求項１に記載のテレビジョン装置。
【請求項３】
前記デコード手段は、前記Ｄ端子からの映像信号をデコード処理する際、その映像信号のフォーマットを判別して前記制御手段にその判別結果を通知し、
前記制御手段は、前記エンコード手段による許容範囲を把握しており、録画指示があると、前記判別結果が前記許容範囲内であれば前記エンコード手段によるエンコード処理を実行させる
ことを特徴とする請求項１又は２に記載のテレビジョン装置。
【請求項４】
Ｄ端子を有し、映像信号の録画／再生が可能な録画／再生装置であって、
前記Ｄ端子からの映像信号をデコード処理するデコード手段と、
前記デコード処理された映像信号を所定の映像信号のフォーマットに対応するようにエンコード処理するエンコード手段と、
前記エンコード処理された映像信号に対し所定のデータ圧縮を施し、記録信号として記録媒体に出力する信号処理手段と、
前記デコード手段、エンコード手段、信号処理手段の動作を制御する制御手段とを備える
ことを特徴とする録画／再生装置。
【請求項５】
前記Ｄ端子以外の映像信号の入力を切り換える第１入力切換回路と、
前記Ｄ端子からの映像信号の入力を切り換える第２入力切換回路と、
前記第１入力切換回路からの映像信号と前記第２入力切換回路から入力され前記エンコード手段によってエンコード処理された映像信号との入力を切り換える第３入力切換回路とを備え、
録画指示があると、前記制御手段によりその録画指示に応じて前記第１入力切換回路又は前記第２入力切換回路による入力切換が制御され、さらに前記第３入力切換回路による入力切換が制御される
ことを特徴とする請求項４に記載の録画／再生装置。
【請求項６】
前記デコード手段は、前記Ｄ端子からの映像信号をデコード処理する際、その映像信号のフォーマットを判別して前記制御手段にその判別結果を通知し、
前記制御手段は、前記エンコード手段による許容範囲を把握しており、録画指示があると、前記判別結果が前記許容範囲内であれば前記エンコード手段によるエンコード処理を実行させる
ことを特徴とする請求項４又は５に記載の録画／再生装置。
【発明の詳細な説明】
【技術分野】
【０００１】
本発明は、Ｄ端子からの映像信号の録画／再生が可能なテレビジョン装置に関する。
【背景技術】
【０００２】
近年、デジタルＢＳ放送等に対応するＤ端子を搭載したＬＣＤ（液晶ディスプレイ）、ＰＤＰ（プラズマディスプレイ）、有機ＥＬディスレイ等のＦＰＤ（フラットパネルディスプレイ）により映像を表示するテレビジョン装置が普及しつつある。
【０００３】
ここで、Ｄ端子は、従来の３本のコンポーネント映像ケーブル（Ｙ／Ｃｂ／Ｃｒ又はＹ／Ｐｂ／Ｐｒ）の接続を１本のケーブルで行えるように考案されたものである。Ｄ端子には、interlace（飛び越し走査）やprogressive（順次走査）等の映像信号のフォーマットに対応させて、Ｄ１端子〜Ｄ５端子までが用意されている。
【０００４】
ちなみに、Ｄ１端子は４８０ｉに対応し、Ｄ２端子は４８０ｉ，４８０ｐに対応し、Ｄ３端子は４８０ｉ，４８０ｐ，１０８０ｉに対応し、Ｄ４端子は４８０ｉ，４８０ｐ，１０８０ｉ，７２０ｐに対応し、Ｄ５端子は４８０ｉ，４８０ｐ，１０８０ｉ，７２０ｐ，１０８０ｐに対応している。なお、ｉはinterlace の略であり、ｐはprogressiveの略である。
【０００５】
また、４８０ｉは現行の地上波放送に対応し、４８０ｐはＤＶＤビデオやＢＳデジタル放送の標準番組に対応し、７２０ｐはＢＳデジタル放送のハイビジョン番組に対応し、１０８０ｉはＢＳデジタル放送のハイビジョン番組に対応し、１０８０ｐは将来的に対応となっている。
【０００６】
また最近では、映像信号の録画／再生におけるデジタル信号処理化が進み、デジタルの映像信号を記録できるＨＤＤ（ハードディスクドライブ）レコーダーやＤＶＤ（デジタルビデオディスク）レコーダーが数多くＡＶ市場に出回るようになっている。また、これらＨＤＤやＤＶＤによる映像信号の録画／再生機能を内蔵したＦＰＤ等によるテレビジョン装置も普及しつつある。
【０００７】
ここで、たとえばＨＤＤによる映像信号の録画／再生機能を内蔵したＦＰＤ等によるテレビジョン装置の一構成例について説明する。すなわち、図３に示すように、ＣＶＢＳ（コンポジット）信号又はＹ／Ｃ分離信号のいずれかが入力切換回路１からビデオデコーダー２に取り込まれると、ビデオデコーダー２によりデコードされてデジタル信号処理回路５に出力される。
【０００８】
また、Ｄ端子（１）又はＤ端子（２）からのいずれかのコンポーネント信号が入力切換回路３からビデオデコーダー４に取り込まれると、ビデオデコーダー４によりデコードされてデジタル信号処理回路５に出力される。なお、Ｄ端子（１）、Ｄ端子（２）は、Ｄ１端子〜Ｄ５端子のいずれかである。
【０００９】
そして、デジタル信号処理回路５により、ＣＶＢＳ（コンポジット）信号、Ｙ／Ｃ分離信号、Ｄ端子（１）又はＤ端子（２）からのコンポーネント信号のいずれかがプログレッシブ信号等への信号処理が行われて表示制御回路６に出力されると、表示制御回路６によりＴＶモニター７に表示信号が出力され、ＴＶモニター７による映像表示が行われる。
【００１０】
なお、入力切換回路１，３による入力切換、ビデオデコーダー２，４によるデコード処理、デジタル信号処理回路５による信号処理は、マイコンからなるシステムコントローラー８によって制御される。
【００１１】
一方、映像信号の録画が行われる場合、ＣＶＢＳ（コンポジット）信号又はＹ／Ｃ分離信号は、システムコントローラー８により制御されるＨＤＤ録画／再生機能部１１の信号処理制御回路９によってＡ／Ｄ変換され、さらにＭＰＥＧ２方式等によるエンコード処理による画像圧縮が行われた後、記録媒体であるＨＤＤ１０に記録される。
【００１２】
ＨＤＤ１０に記録された映像信号が再生される場合、その映像信号が信号処理制御回路９によってデコード処理され、さらにＤ／Ａ変換処理された後、ＨＤＤ再生映像信号とされてモニター出力される。このとき、ＨＤＤ再生映像信号が入力切換回路１に出力されると、上記同様にしてＴＶモニター７により表示される。
【００１３】
ところで、このような映像信号の録画／再生機能を内蔵したテレビジョン装置では、Ｄ端子（１）又はＤ端子（２）からの映像信号をＨＤＤ１０に限らず、ＤＶＤ等の記録媒体に録画できるような対応が次のような理由からとられていなかった。
【００１４】
すなわち、Ｄ端子からの映像信号をＨＤＤ１０やＤＶＤ等の記録媒体に記録しようとすると、信号処理制御回路９内のエンコーダーによるエンコード処理の能力によって問題が生じてしまうということである。
【００１５】
具体的には、ＨＤＤレコーダー１１の信号処理制御回路９内のエンコーダーの許容範囲が、たとえばＤ１端子（４８０ｉ）のみであるとき、Ｄ２端子（４８０Ｐ）以上の映像信号が入力されると、エンコーダーの能力外となるため、正常な信号処理が行われないこととなり、たとえばＨＤＤ１０やＤＶＤ等の記録媒体に記録される映像信号が異常なものとなってしまう。このように、記録媒体に記録される映像信号が異常であると、記録媒体の映像信号を再生しても正常な映像が表示されなくなってしまう。
【００１６】
また、エンコーダーの能力がＤ４端子（４８０ｉ，４８０ｐ，１０８０ｉ，７２０ｐ）まで対応されているとき、Ｄ４端子からの映像信号に対しての信号処理が可能となるが、その処理された信号を外付けのＨＤＤレコーダーやＤＶＤレコーダー等の録画／再生装置によって録画しようとすると、これらの録画／再生装置はＤ１端子（４８０ｉ）の信号に対してのみ互換があり、それ以外は互換がとれないという問題が生じてしまう。
【００１７】
つまり、たとえばＤＶＤレコーダーであれば、ＶＲ（ビデオレコーディング）モード、あるいはビデオモードでディスク上に録画しないと、そのディスクを他のＤＶＤレコーダーにかけたときに、再生できなくなってしまうことになる。
【００１８】
このように、録画可能な信号形態が限られることになるため、現在の映像信号の録画／再生機能を内蔵したテレビジョン装置では、Ｄ端子（１）又はＤ端子（２）からの入力信号をたとえばＨＤＤ１０やＤＶＤ等の記録媒体に記録できるような対応がとられていなかった。このようなことは、単体のＨＤＤレコーダーやＤＶＤレコーダー等の録画／再生装置にあっても同様のことがいえる。
【００１９】
このような問題を解消するためには、たとえばＤ２端子〜Ｄ５端子の映像信号をＤ１端子の信号に変換してＨＤＤ１０やＤＶＤ等の記録媒体に録画できるようにしたり、Ｄ２端子〜Ｄ５端子の映像信号をＤ１の信号に変換できなければ、録画を停止させたりできるようにすることが必要となるものと考えられる。
【００２０】
録画を停止させるものとして、特許文献１では、ＭＰＥＧエンコード回路により圧縮された映像信号をハードディスクに記録し、タイムシフトされた映像信号を出力する第１の経路と、ハードディスクを介さず直接出力する第２の経路とを有し、入力された映像信号の状況を監視する各種識別回路を設けることにより、出力する映像信号を自動で切替えることを可能とする映像記録再生機器を提案している。
【００２１】
これによれば、入力された映像信号がコピー禁止、非標準信号や弱電界の信号の場合、記録媒体に記録するのを止め、自動で映像信号を直接出力することが可能となる。
【特許文献１】特開２００２−３５４４０８号公報
【発明の開示】
【発明が解決しようとする課題】
【００２２】
ところが、特許文献１に示された映像記録再生機器では、コピー禁止の映像信号やゲーム機のような非標準信号が入力された場合、自動で映像信号を直接出力することを可能とし、またノイズ成分が多く含まれた映像信号が入力された場合も、ハードディスクに記録することを止め、自動で映像信号を直接出力することを可能としているが、Ｄ端子からの映像信号の録画を行うことができない。
【００２３】
解決しようとする問題点は、Ｄ端子からの映像信号の録画を行うことができないという点である。
【課題を解決するための手段】
【００２４】
本発明のテレビジョン装置は、Ｄ端子からの映像信号の録画／再生機能を内蔵したテレビジョン装置であって、前記Ｄ端子からの映像信号をデコード処理するデコード手段と、前記デコード処理された映像信号を所定の映像信号のフォーマットに対応するようにエンコード処理するエンコード手段と、前記エンコード処理された映像信号に対し所定のデータ圧縮を施し、記録信号として記録媒体に出力する信号処理手段と、前記デコード手段、エンコード手段、信号処理手段の動作を制御する制御手段とを備えることを特徴とする。
また、前記Ｄ端子以外の映像信号の入力を切り換える第１入力切換回路と、前記Ｄ端子からの映像信号の入力を切り換える第２入力切換回路と、前記第１入力切換回路からの映像信号と前記第２入力切換回路から入力され前記エンコード手段によってエンコード処理された映像信号との入力を切り換える第３入力切換回路とを備え、録画指示があると、前記制御手段によりその録画指示に応じて前記第１入力切換回路又は前記第２入力切換回路による入力切換が制御され、さらに前記第３入力切換回路による入力切換が制御されるようにすることができる。
また、前記デコード手段は、前記Ｄ端子からの映像信号をデコード処理する際、その映像信号のフォーマットを判別して前記制御手段にその判別結果を通知し、前記制御手段は、前記エンコード手段による許容範囲を把握しており、録画指示があると、前記判別結果が前記許容範囲内であれば前記エンコード手段によるエンコード処理を実行させるようにすることができる。
本発明の録画／再生装置は、Ｄ端子を有し、映像信号の録画／再生が可能な録画／再生装置であって、前記Ｄ端子からの映像信号をデコード処理するデコード手段と、前記デコード処理された映像信号を所定の映像信号のフォーマットに対応するようにエンコード処理するエンコード手段と、前記エンコード処理された映像信号に対し所定のデータ圧縮を施し、記録信号として記録媒体に出力する信号処理手段と、前記デコード手段、エンコード手段、信号処理手段の動作を制御する制御手段とを備えることを特徴とする。
また、前記Ｄ端子以外の映像信号の入力を切り換える第１入力切換回路と、前記Ｄ端子からの映像信号の入力を切り換える第２入力切換回路と、前記第１入力切換回路からの映像信号と前記第２入力切換回路から入力され前記エンコード手段によってエンコード処理された映像信号との入力を切り換える第３入力切換回路とを備え、録画指示があると、前記制御手段によりその録画指示に応じて前記第１入力切換回路又は前記第２入力切換回路による入力切換が制御され、さらに前記第３入力切換回路による入力切換が制御されるようにすることができる。
また、前記デコード手段は、前記Ｄ端子からの映像信号をデコード処理する際、その映像信号のフォーマットを判別して前記制御手段にその判別結果を通知し、前記制御手段は、前記エンコード手段による許容範囲を把握しており、録画指示があると、前記判別結果が前記許容範囲内であれば前記エンコード手段によるエンコード処理を実行させるようにすることができる。
本発明に係るテレビジョン装置では、デコード手段により、Ｄ端子からの映像信号がデコード処理され、エンコード手段により、デコード処理された映像信号が所定の映像信号のフォーマットに対応するようにエンコード処理されると、信号処理手段により、エンコード処理された映像信号に対し所定のデータ圧縮が施され、記録信号として記録媒体に出力されるとともに、これらのデコード手段、エンコード手段、信号処理手段の動作が制御手段によって制御される。
【発明の効果】
【００２５】
本発明のテレビジョン装置によれば、デコード手段により、Ｄ端子からの映像信号がデコード処理され、エンコード手段により、デコード処理された映像信号が所定の映像信号のフォーマットに対応するようにエンコード処理されると、信号処理手段により、エンコード処理された映像信号に対し所定のデータ圧縮が施され、記録信号として記録媒体に出力されるとともに、これらのデコード手段、エンコード手段、信号処理手段の動作が制御手段によって制御されるようにしたので、Ｄ端子からの映像信号の録画を行うことができる。
【発明を実施するための最良の形態】
【００２６】
本実施形態でのテレビジョン装置では、デコード手段により、Ｄ端子からの映像信号がデコード処理され、エンコード手段により、デコード処理された映像信号が所定の映像信号のフォーマットに対応するようにエンコード処理されると、信号処理手段により、エンコード処理された映像信号に対し所定のデータ圧縮が施され、記録信号として記録媒体に出力されるとともに、これらのデコード手段、エンコード手段、信号処理手段の動作が制御手段によって制御されるようにし、Ｄ端子からの映像信号の録画を行うことができるようにする。
【００２７】
以下、本発明の実施の形態について説明する。
図１は、本発明のＤ端子からの映像信号の録画／再生機能を内蔵したテレビジョン装置の一実施形態を示すブロック図、図２は、図１のテレビジョン装置の動作を説明するためのフローチャートである。なお、以下に説明する図において、図３と共通する部分には同一符号を付すものとする。
【００２８】
図１に示すテレビジョン装置は、Ｄ端子を搭載したＬＣＤ（液晶ディスプレイ）、ＰＤＰ（プラズマディスプレイ）、有機ＥＬディスレイ等のＦＰＤ（フラットパネルディスプレイ）により映像を表示するものであり、さらにＤ端子からの映像信号の録画／再生機能を内蔵したものであって、入力切換回路１，３、ビデオデコーダー２，４、デジタル信号処理回路５、表示制御回路６、ＴＶモニター７、システムコントローラー８、ＨＤＤ録画／再生機能部１４を備えている。
【００２９】
第１入力切換回路としての入力切換回路１は、ＣＶＢＳ（コンポジット）信号又はＹ／Ｃ分離信号の入力を切り換える。ビデオデコーダー２は、入力切換回路１からのＣＶＢＳ（コンポジット）信号又はＹ／Ｃ分離信号をデコードする。第２入力切換回路としての入力切換回路３は、Ｄ端子（１）又はＤ端子（２）からのコンポーネント信号の入力を切り換える。ここで、Ｄ端子（１）又はＤ端子（２）は、上述したＤ１端子〜Ｄ５端子のいずれかである。
【００３０】
デコード手段としてのビデオデコーダー４は、入力切換回路３からのいずれかのコンポーネント信号をデコードする。また、ビデオデコーダー４は、入力切換回路３からのいずれかのコンポーネント信号のフォーマットがＤ１端子〜Ｄ５端子のいずれかであるかを判別し、その判別結果をシステムコントローラー８に通知する。
【００３１】
デジタル信号処理回路５は、ビデオデコーダー２，４のいずれかによってデコードされた信号を、たとえばプログレッシブ信号に変換する等のデジタル信号処理を行う。表示制御回路６は、デジタル信号処理回路５によって処理されたプログレッシブ信号に基づき、ＴＶモニター７の表示を制御する。
【００３２】
制御手段としてのシステムコントローラー８は、マイコンからなり、入力切換回路１，３による入力切換、ビデオデコーダー２，４によるデコード処理、デジタル信号処理回路５による信号処理、ＨＤＤ録画／再生機能部１４による録画／再生の制御等を行う。
【００３３】
ＨＤＤ録画／再生機能部１４は、映像信号を記録する記録媒体をたとえばＨＤＤ１０とするものであり、信号処理制御回路９、ビデオエンコーダー１２、入力切換回路１３を備えている。
【００３４】
信号処理手段としての信号処理制御回路９は、映像信号の録画を行う際、入力切換回路１からの信号に対し、ＭＰＥＧ２方式等による画像圧縮を行った後、ＨＤＤ１０に記録するための映像信号を出力する。また、信号処理制御回路９は、ＨＤＤ１０に記録された映像信号を再生する際、その映像信号をデコードしてＨＤＤ再生映像信号とし、モニター出力とする。このとき、ＨＤＤ再生映像信号がＴＶモニター７によって表示される場合は、入力切換回路１に出力される。
【００３５】
エンコード手段としてのビデオエンコーダー１２は、ビデオデコーダー４によってデコードされたＤ端子（１）又はＤ端子（２）からのコンポーネント信号をエンコードして出力する。ここで、ビデオエンコーダー１２は、ビデオデコーダー４によってデコードされたコンポーネント信号をエンコードする際、そのコンポーネント信号をＤ１端子（４８０ｉ）の映像信号のフォーマットに対応するように信号処理する。
【００３６】
なお、ビデオエンコーダー１２の許容範囲は、システムコントローラー８によって把握されている。そのため、システムコントローラー８は、ビデオデコーダー４からの判別結果から、ビデオエンコーダー１２による信号処理が可能である場合にはその信号処理を実行させ、ビデオエンコーダー１２による信号処理が不可能である場合にはその信号処理を実行させないようにビデオエンコーダー１２を制御する。よって、ビデオエンコーダー１２による信号処理が可能である場合に、Ｄ端子（１）又はＤ端子（２）からのコンポーネント信号の録画が可能となる。
【００３７】
第３入力切換回路としての入力切換回路１３は、映像信号の録画を行う際、ＣＶＢＳ（コンポジット）信号又はＹ／Ｃ分離信号と、ビデオエンコーダー１２によってエンコードされたＤ端子（１）又はＤ端子（２）からのコンポーネント信号とのいずれかの入力切換を行う。
【００３８】
次に、テレビジョン装置の動作について説明する。
まず、ＣＶＢＳ（コンポジット）信号又はＹ／Ｃ分離信号による映像がＴＶモニター７によって表示される場合、ビデオデコーダー２により、入力切換回路１からのＣＶＢＳ（コンポジット）信号又はＹ／Ｃ分離信号がデコードされ、デジタル信号処理回路５により、そのデコードされた信号がたとえばプログレッシブ信号に変換されると、表示制御回路６により、デジタル信号処理回路５によって処理されたプログレッシブ信号に基づき、ＴＶモニター７の表示が制御される。
【００３９】
また、Ｄ端子（１）又はＤ端子（２）からのコンポーネント信号による映像がＶモニター７によって表示される場合、ビデオデコーダー４により、入力切換回路３からのいずれからのコンポーネント信号がデコードされ、デジタル信号処理回路５により、そのデコードされた信号がたとえばプログレッシブ信号に変換されると、表示制御回路６により、デジタル信号処理回路５によって処理されたプログレッシブ信号に基づき、ＴＶモニター７の表示が制御される。
【００４０】
次に、ＨＤＤ録画／再生機能部１４により録画が行われる場合、まず図２に示すように、録画指示があると（ステップＳ１）、システムコントローラー８がその録画指示がＣＶＢＳ（コンポジット）信号、Ｙ／Ｃ分離信号、Ｄ端子（１）又はＤ端子（２）からのコンポーネント信号のいずれかであるかを判別する（ステップＳ２）。ここで、録画指示は、図示しないリモコン送信機からの録画に関する選択信号を図示しない受信回路が受け付けることで、システムコントローラー８がその録画指示を判別することができる。
【００４１】
録画指示がＣＶＢＳ（コンポジット）信号又はＹ／Ｃ分離信号である場合、システムコントローラー８が入力切換回路１，１３を制御することで、ＣＶＢＳ（コンポジット）信号又はＹ／Ｃ分離信号がＨＤＤ録画／再生機能部１４の信号処理制御回路９に取り込まれる。
【００４２】
そして、信号処理制御回路９により、取り込まれたＣＶＢＳ（コンポジット）信号又はＹ／Ｃ分離信号がＭＰＥＧ２方式等による画像圧縮等によって信号処理が行われた後（ステップＳ３）、ＨＤＤ１０に記録するための映像信号として出力される（ステップＳ４）。
【００４３】
一方、（ステップＳ２）において、録画指示がＤ端子（１）又はＤ端子（２）からのコンポーネント信号のいずれかである場合、入力切換回路３からのいずれかのコンポーネント信号がビデオデコーダー４によってデコードされる。また、ビデオデコーダー４によって入力切換回路３からのコンポーネント信号のフォーマットがＤ１端子〜Ｄ５端子のいずれかであるかが判別され、その判別結果がシステムコントローラー８に通知される。
【００４４】
このとき、システムコントローラー８がビデオエンコーダー１２の許容範囲を把握しており、ビデオデコーダー４からの判別結果から、ビデオエンコーダー１２によるエンコード（信号処理）が可能であるか否かが判別され（ステップＳ５）、可能である場合にはビデオエンコーダー１２に対しその信号処理を実行させる。
【００４５】
この場合、ビデオエンコーダー１２により、ビデオデコーダー４によってデコードされたコンポーネント信号がエンコードされる際、そのコンポーネント信号がＤ１端子の映像信号のフォーマットに対応するように信号処理される（ステップＳ６）。
【００４６】
そして、ビデオエンコーダー１２により処理された信号が入力切換回路１３から信号処理制御回路９に出力されると、信号処理制御回路９によりＭＰＥＧ２方式等による画像圧縮等によって信号処理が行われた後、ＨＤＤ１０に記録するための映像信号として出力される（ステップＳ４）。
【００４７】
これに対し、（ステップＳ５）において、ビデオエンコーダー１２によるエンコード（信号処理）が不可能であると判別されると、システムコントローラー８によりビデオエンコーダー１２による信号処理が実行されないように制御される。これにより、録画停止となる（ステップＳ７）。
【００４８】
このように、本実施形態では、ビデオデコーダー４により、Ｄ端子からの映像信号がデコード処理され、ビデオエンコーダー１２により、デコード処理された映像信号が所定の映像信号のフォーマットに対応するようにエンコード処理されると、信号処理制御回路９により、エンコード処理された映像信号に対し所定のデータ圧縮が施され、記録信号としてＨＤＤ１０に出力されるとともに、これらのビデオデコーダー４、ビデオエンコーダー１２、信号処理制御回路９の動作がシステムコントローラー８によって制御されるようにしたので、Ｄ端子からの映像信号の録画を行うことができる。
【００４９】
また、本実施形態では、Ｄ端子以外の映像信号の入力を切り換える入力切換回路１と、Ｄ端子からの映像信号の入力を切り換える入力切換回路３と、入力切換回路１からの映像信号と入力切換回路３から入力されビデオエンコーダー１２によってエンコード処理された映像信号との入力を切り換える入力切換回路１３とを備え、録画指示があると、システムコントローラー８によりその録画指示に応じて入力切換回路１又は入力切換回路３による入力切換が制御され、さらに入力切換回路１３による入力切換が制御されるようにしたので、テレビジョン装置の内部システムに影響を与えることなく、また既存のＨＤＤ録画／再生機能部１４にあっても最小限の変更で、Ｄ端子からの映像信号の録画対応を実現することができる。
【００５０】
また、本実施形態では、ビデオデコーダー４により、Ｄ端子からの映像信号がデコード処理される際、その映像信号のフォーマットが判別され、システムコントローラー８にその判別結果が通知されるようにし、システムコントローラー８がビデオエンコーダー１２による許容範囲を把握しており、録画指示があると、判別結果が許容範囲内であればビデオエンコーダー１２によるエンコード処理を実行させるようにしたので、Ｄ端子の映像信号のフォーマット（４８０ｉ，４８０ｐ，１０８０ｉ，７２０ｐ，１０８０ｐ）の判別結果を基にＤ１端子（４８０ｉ）への変換処理を確実に行うことができたり、録画動作を停止させたりすることができる。この場合、Ｄ１端子（４８０ｉ）への変換処理が確実に行われるため、その処理された信号を外付けのＨＤＤレコーダーやＤＶＤレコーダー等の録画／再生装置によって録画するときの互換性をとることができる。
【産業上の利用可能性】
【００５１】
テレビジョン装置に外付けされる単体のＨＤＤレコーダーやＤＶＤレコーダー等の録画／再生装置に適用可能である。また、ＨＤＤレコーダーとＤＶＤレコーダーとの複合器であっても適用可能である。さらに、ＨＤＤレコーダーとＤＶＤレコーダーとＶＣＲとの複合器、ＨＤＤレコーダーとＶＣＲとの複合器、ＤＶＤレコーダーとＶＣＲとの複合器であっても適用可能である。
【図面の簡単な説明】
【００５２】
【図１】本発明のＤ端子からの映像信号の録画／再生機能を内蔵したテレビジョン装置の一実施形態を示すブロック図である。
【図２】図１のテレビジョン装置の動作を説明するためのフローチャートである。
【図３】従来の映像信号の録画／再生機能を内蔵したテレビジョン装置の一例を示すブロック図である。
【符号の説明】
【００５３】
１，３，１３  入力切換回路
２，４  ビデオデコーダー
５  デジタル信号処理回路
６  表示制御回路
７  ＴＶモニター
８  システムコントローラー
９  信号処理制御回路
１０  ＨＤＤ
１２  ビデオエンコーダー
１４  ＨＤＤ録画／再生機能部
【図１】
2006024991.tif 000003
【図２】
2006024991.tif 000004
【図３】
2006024991.tif 000005